(57)【要約】【課題】  ワンタッチキーに登録された送信先宛先表示が見やすく、しかも電話番号登録数を多くすることができ、かつワンタッチキーの操作性に優れたデジタル複合装置を実現する。【解決手段】  キースイッチとＬＣＤ表示部が一体となったキーをワンタッチキーとして用い、ワンタッチキーに登録した宛先情報の宛先名称から不要文字を削除したり追加したりする編集機能を付加し、編集した宛先名をワンタッチキー自体に表示し、ワンタッチキーが押下されることでその宛先のファックス番号にファックス送信する。【選択図】  図１
2006086975.tif 000002
【特許請求の範囲】
【請求項１】
送信先宛先名と該送信先宛先名に対応する送信先電話番号とが登録される少なくとも１つのワンタッチキーと、該ワンタッチキーと該ワンタッチキーに登録された前記送信先宛先名と送信先電話番号とが表示される表示手段と、前記送信先宛先名と送信先電話番号とを入力する入力手段と、前記送信先宛先名と前記送信先電話番号が格納される記憶手段と、前記ワンタッチキーが押下されると送信先電話番号を前記記憶手段から呼び出し、送信動作を実行させる制御手段と、前記記憶手段に記憶された前記送信先宛先名を編集する編集手段とを有することを特徴とするファクシミリ装置。
【請求項２】
前記編集手段は、前記送信先宛先名に含まれるカタカナ、英数記号を半角文字に変換することを特徴とする請求項１記載のファクシミリ装置。
【請求項３】
前記ワンタッチキーは、複数の前記送信宛先名と該送信先宛先名に対応する電話番号が登録され、前記制御手段は前記ワンタッチキーが押下されると、前記複数の前記送信先宛先名と該送信先宛先名に対応する電話番号を順番に前記表示手段に表示させることを特徴とする請求項１または２記載のファクシミリ装置。
【請求項４】
前記表示手段は、複数の前記ワンタッチキーを同時に表示することを特徴とする請求項３記載のファクシミリ装置。
【請求項５】
画面切り替え手段をさらに有し、該切り替え手段により、複数の前記ワンタッチキー画面を順番に前記表示手段に表示することを特徴とする請求項４記載のファクシミリ装置。
【発明の詳細な説明】
【技術分野】
【０００１】
本発明は、ファクシミリ装置、特にワンタッチキー機能を有するファクシミリ装置に関する。
【背景技術】
【０００２】
従来、ファクシミリ装置では、操作者が通信時に宛先としての送信先電話番号（ファックス番号）を入力し、送信スタートキーを押下することによりファックス送信が実行される。また、操作者があて先となるファックス番号を予めワンタッチキーに対応したメモリに登録することにより、操作者は送信時に、送信先のワンタッチキーを選択し、押下、さらにスタートキーを押下することで容易にファックス送信を実行することができる。
【０００３】
近年では、ＰＣの普及により、ファクシミリ装置とＰＣとの接続が一般化し、ワンタッチキーへのファックス番号や宛先名称の登録などの登録操作は格段にしやすくなった。そのため、従来のワンタッチキーへの登録の煩わしさからワンタッチキーを活用しなかったファクシミリ装置の利用者がワンタッチキーを活用するようになってきた。
【０００４】
一方、ファクシミリ装置自体は、それ自体の小型化による大きさ等の制約や低価格化によるコストの制約から、ワンタッチキーを多く配置することができず、装置に配設できるワンタッチキー数が制約され、登録件数を多くできないという問題があった。したがって、ワンタッチキーを使用する操作者は、ワンタッチキーへの送信先電話番号の登録・変更を頻繁に行わなければならなかった。
【０００５】
このように、デジタル複合装置では、操作性がよく、より多くの送信先電話番号を登録できるワンタッチキーを有するものが望まれている。
【０００６】
このような要求に対して、特許文献１に記載の「通信端末装置」、あるいは特許文献２に記載の「デジタル複合装置」が開示されている。
【０００７】
特許文献１の「通信端末装置」は、複数の宛先テーブルを記憶するＲＡＭと、このＲＡＭに記憶されている宛先テーブルの１つを選択する切り替えキーと、選択された宛先テーブルの宛先を表示する第１のＬＣＤと、ＬＣＤの宛先表示形態に対応して配置されたワンタッチキーと、いずれの宛先テーブルが選択されているか表示する第２のＬＣＤと、ワンタッチキーの１つが押下されると、そのワンタッチキーに対応する宛先のダイヤル情報を宛先テーブルから読み出し、ダイヤルするＮＣＵを有していることから、１つのワンタッチキーに複数の宛先を割り当てることができる。
【０００８】
したがって、実質的には多数のワンタッチキーが配置されていることと同じになり、操作者は多くのワンタッチキーを使用することができる。
【０００９】
特許文献２の「デジタル複合装置」は、ワンタッチダイヤル機能、グループダイヤル機能等の各種機能項目と、その各種機能項目に対応して登録されている個別登録内容が記憶されている所定容量のバックアップメモリと、各種機能項目と個別登録内容を表示する操作パネルの大型ＬＣＤ表示部とを有し、大型ＬＣＤ表示部の表示に応じて操作パネルの操作により機能項目の機能を個別登録内容に対して実行するに際して、機能項目および各機能項目に対する個別登録内容の最大登録件数をバックアップメモリの容量の許容範囲内で任意に設定登録可能としている。
【００１０】
したがって、操作者の利用形態に応じて、機能項目を任意に設定登録し、また、個別登録内容を必要な件数だけ登録することができ、利用性、操作性を向上させることができる。
【特許文献１】特開２００３―６０７７０号公報
【特許文献２】特開２００１―３２６７９６号公報
【発明の開示】
【発明が解決しようとする課題】
【００１１】
しかし、特許文献１では、ワンタッチキーの有効活用がされているが、ワンタッチキーの配設数の制約あるいは操作性についての改善がなされていなかった。また、特許文献２では、予め設定されているバックアップメモリの容量の許容範囲内での有効利用はされているが、使用する側の利便性の改善は十分ではなかった。
【００１２】
また、これらの方法では、ワンタッチキーに登録された宛先情報を知る手段として、ワンタッチキーの上やワンタッチキー同士の空いた隙間等に宛先を記載したり、宛先を記載したシート・シールを作り被せたりしていた。しかし、ワンタッチキーを多く配設させるためにキーの大きさが小さくなる傾向にあり、宛先の記載作業も細かく、手間がかかり、かつ視認性が悪く、さらにワンタッチキーが小さいためにその操作性が損なわれるという問題があった。
【００１３】
本発明の課題は、従来技術の欠点を鑑み、ワンタッチキーが有効に利用され、且つ操作性の優れたファクシミリ装置を提供することにある。
【課題を解決するための手段】
【００１４】
請求項１記載の発明は、送信先宛先名と送信先宛先名に対応する送信先電話番号とが登録される少なくとも１つのワンタッチキーと、ワンタッチキーとワンタッチキーに登録された送信先宛先名と送信先電話番号とが表示される表示手段と、送信先宛先名と送信先電話番号とを入力する入力手段と、送信先宛先名と送信先電話番号が格納される記憶手段と、ワンタッチキーが押下されると送信先電話番号を記憶手段から呼び出し、送信動作を実行させる制御手段と、記憶手段に記憶された送信先宛先名を編集する編集手段とを有することを特徴とする。
【００１５】
請求項２記載の発明は、請求項１記載のファクシミリ装置において、編集手段は、送信先宛先名に含まれるカタカナ、英数記号を半角文字に変換することを特徴とする。
【００１６】
請求項３記載の発明は、請求項１または２記載のファクシミリ装置において、ワンタッチキーは、複数の送信宛先名と送信先宛先名に対応する電話番号が登録され、制御手段は前記ワンタッチキーが押下されると、複数の送信先宛先名と送信先宛先名に対応する電話番号を順番に表示手段に表示させることを特徴とする。
【００１７】
請求項４記載の発明は、請求項３記載のファクシミリ装置において、表示手段は、複数のワンタッチキーを同時に表示することを特徴とする。
【００１８】
請求項５記載の発明は、請求項４記載のファクシミリ装置において、画面切り替え手段をさらに有し、切り替え手段により、複数のワンタッチキー画面を順番に表示手段に表示することを特徴とする。
【発明の効果】
【００１９】
本発明によれば、ワンタッチキーとしてのワンタッチキーに登録された送信先宛先名が見やすく表示され、しかもワンタッチキーへの送信先電話番号登録数を多くすることができ、且つ従来よりもワンタッチキーの操作性に優れたデジタル複合装置を提供することができる。
【発明を実施するための最良の形態】
【００２０】
以下、本発明の実施を説明する。
図１には、本発明の一実施形態としてのファクシミリ装置におけるシステム構成が示されている。
本実施形態のシステム構成では、主に入力手段としての操作部１、表示手段としての表示・通知部２、システム制御部３、システムバス４、通信制御部５、画像メモリ６、ＮＩＣ部７、ＮＣＵ部８、画像処理部９、読み取り部１０、書き込み部１１、および通信制御部１２から構成されている。
【００２１】
操作部１は、図示しないタッチパネル式キースイッチを有する大型のＬＣＤ表示部が配設されており、ＬＣＤ表示部は、ＬＣＤ表示部に表示され、操作者により指示入力される画面切り替えキーにより図２に示されている送信画面２０と、図３に示されている各種設定登録画面３０とが表示される。
【００２２】
送信画面２０は、画面切り替えキー、送信先の宛先名が表示されるワンタッチキー、ワンタッチキーを使用せず直接ファックス番号を入力するテンキー等の宛先情報を入力する入力キー、短縮ダイヤルキー、ファックス送信を開始させるスタートキー、ストップキー、コピー機能を作動させるコピーキー、未使用時の電源を省エネモードとする省エネキモードキー等ファックスおよびコピー動作に必要な各種キー、および各種ファンクションキーが表示される。
【００２３】
各種設定登録画面３０は、ワンタッチキーに宛先名、送信先電話番号を登録するためのアルファベットキー、文字半角変換機能を含む編集機能キー、テンキー等の入力が表示される。また、これらの操作キーの他、送信画面２０と共通の短縮ダイヤルキー、スタートキー、ストップキー、コピーキー、省エネキモードキー、および各種ファンクションキーが表示される。
【００２４】
操作部１は、システムバス４を介してシステム制御部３とのデータのやり取りを行い、操作部１の各種キーから入力された各データをシステム制御部３に渡す制御を行う。
【００２５】
表示・通知部２は、システム制御部３からシステムバス４を介して入力される指示制御信号によりＬＥＤの点灯、ＬＣＤ表示部への表示、あるいはブザー等の鳴動を実行する。
【００２６】
システム制御部３は、図示しないＣＰＵ(Central Processing Unit)、ＲＯＭ(Read Only Memory)およびＲＡＭ(Random Access Memory)等を有し、ＲＯＭ内にはファクシミリ装置としての基本プログラムや本実施形態のプログラムおよびこれらのプログラムを実行するための各種データが格納されている。なお、プログラムが膨大になる場合には、ＲＯＭのほかに磁気ディスク装置等を搭載し、そこにプログラムを格納することも可能である。また、後述するように画像メモリ部６として磁気ディスク装置を使用する場合には、プログラム格納部として共通化することも可能である。
【００２７】
システム制御部３は、ＲＯＭ内のプログラムに基づき、システムバス４を介してファクシミリ装置の各部を制御し、操作部１におけるワンタッチキーによるファックス送信機能、あるいはファクシミリ装置の基本処理である給紙、搬送、定着、記録等の制御行い、各機能を実行させる。
【００２８】
また、システム制御部３は、システムバス４を介して通信制御部５およびＮＣＵ部８、ＮＩＣ部７の制御を行い、ファクシミリの送受信を実行する。さらに、システム制御部３は、時計機能、画像メモリに蓄積するメッセージデータを管理するファイル管理機能を有している。なお、ＲＯＭにおいてはキャラクタ情報を格納する領域を持ち、先のＲＯＭと同一のＲＯＭにて構成することも可能である。ＲＡＭは、バッテリーバックアップすることにより情報を保持することも可能である。
【００２９】
システムバス４は、操作部１、表示・通知部２、システム制御部３、通信制御部５、画像メモリ６、ＮＩＣ部７、画像処理部９、読み取り部１０、書き込み部１１、および通信制御部１２の各部に接続され、各制御信号、各データがやり取りされるはずである。
【００３０】
通信制御部５は、ＮＣＵ（Network Control Unit）部８を制御し、加入電話回線／自営構内回線の網に接続され、相手側通信端末との通信制御を実行する。また、通信制御部５はモデムを有し、相手側通信端末より受信した変調されている受信データを復調し、送信時の送信データを変調し送信する。
【００３１】
また、ＮＣＵ部８にて検出されたリンギング電圧のパルスの検出や、トーン信号、ＤＴＭＦ信号の検出、送信時のダイヤルとしてＤＴＭＦ送出などを行う。
【００３２】
画像メモリ部６は、例えば磁気ディスク装置で構成され、受信した複数の受信メッセージデータ、送信する複数の送信メッセージデータをファイルとして蓄積する。なお、画像メモリ部６は、磁気ディスク装置に限定されるものではなく、基盤に実装されるＳＲＡＭモジュールや、カードスロットに挿入されるメモリカード等の媒体を使用することも可能である。
【００３３】
ＮＩＣ（Network Interface Card）部７は、ＴＣＰ／ＩＰ通信するためのＬＡＮコントローラを有し、インターネット／ＬＡＮ（Local Area Network）と接続され、相手端末とＴＣＰ／ＩＰを用いた通信の制御を行う。
【００３４】
ＮＣＵ３６は、加入電話回線／自営構内回線の網に接続され、回線の閉結や、呼び出し信号（リンギング）、トーン信号、ＤＴＭＦ信号の検出を行う。
【００３５】
画像処理部９は、符号化された画像データの圧縮、あるいは圧縮された画像データの伸張、および変倍処理等のデータの加工を行う。また、ＴＴＩの埋め込みなどを行う。
なお、本実施例の画像処理部は、システムバスに接続されているが、通信制御部５、通信制御部（Ｇ４）１２、読み取り部１０、書き込み部１１のそれぞれに配設されることも可能である。
【００３６】
読み取り部１０は、本実施形態ではＣＣＤ(Charge Coupled Device)が配設されたイメージスキャナを有し、原稿を走査して原稿のイメージを読み取り、読み取られた画像イメージを２値化する。また、読み取り部１０は、原稿読み取り時の画像データの縮小、拡大の変倍、あるいは線密度変換等の処理を実行する。
【００３７】
書き込み部１１は、本実施形態ではサーマル素子が配設されたサーマル記録装置を有し、書き込み部１１のページメモリに蓄積された画像データを受け取り、感熱記録素子に直接、あるいは普通記録紙にインクシートを介して間接的に画像を記録する。さらに、書き込み部１１はページメモリを有し、システム制御部３で書き込み指定された、画像メモリ６にある画像ファイルをページごとにページメモリに蓄積し、順次サーマル記録装置に転送する。
【００３８】
なお、書き込み部１１に前述した画像データの伸張処理を行う画像処理機能を付加することも可能であり、その場合、受け取った圧縮された画像データを伸張させ、印刷出力することができる。
【００３９】
また、本実施形態では書き込み手段としてサーマル記録装置が使用されているが、サーマル記録装置以外の電子写真方式、ジェルジェット方式、インクジェット方式、あるいはトナージェット方式等記録紙にイメージを記録できるものでも可能である。
【００４０】
通信制御部（Ｇ４）１２は、ＩＮＳネット６４／デジタル交換内線の網と接続され、相手側通信端末との通信の制御を行う。また、通信制御部７はＬＡＰＤ（Link Access  Procedure on the D-channel）、ＬＡＰＢ（Link Access Procedure Balanced）コントローラを有し、これらの制御を行う。
【００４１】
なお、本実施形態では、ＩＳＤＮ網を利用しているが、通信制御部５と同様にＰＳＴＮ網に対応したものでもよい。ただし、この場合にはＮＣＵを配設することが必要である。
【００４２】
図５には、図１のファクシミリ装置の動作フローの一実施形態が示されている。
この動作フローは、ワンタッチキーに宛先情報である宛先名および送信先電話番号を登録するフローである。
操作者は、ワンタッチキーに宛先情報を登録する場合、例えば図２に示されている送信画面のファンクションキーを押下後、表示・通知部２の画面の指示に従い、図３に示されているワンタッチ登録画面である各種設定登録画面に到達する。より具体的には、そのキー操作手順として、例えばファンクションキーを押下し、次に初期設定を選択、さらに各種登録を選択、そしてワンタッチ登録を選択することでワンタッチ登録画面になる。
【００４３】
ワンタッチ登録画面になると、表示・通知部２には、ワンタッチキーに宛先情報を登録するため、登録するワンタッチキーを押下する旨のメッセージが表示される（ステップＳ５０１）。
【００４４】
ここで、操作者により登録したいワンタッチキーが押下されたことが認識されると、押下されたワンタッチキーが既に登録済みか否かを判断する（ステップＳ５０２）。
【００４５】
ステップＳ５０２で操作者により押下されたワンタッチキーが未登録と判断した場合は、例えば図３に示されているような「登録するファックス番号を入力して下さい」というメッセージを表示・通知部２に表示させ、画面上のテンキーを介してファックス番号が入力される（ステップＳ５０３）。また、ステップＳ５０２で操作者により押下されたワンタッチキーが既に登録済みと判断した場合は、例えば「指定されたワンタッチキーは既に登録されています」というワーニングメッセージを表示・通知部２に表示させ、指定されたワンタッチキーへの宛先登録処理を終了させる（ステップＳ５０８）。
【００４６】
ステップＳ５０３でファックス番号の入力が完了したと認識すると、例えば図４（ａ）に示されているような「登録する宛先名を入力して下さい」というメッセージを表示・通知部２に表示させ、宛先名が入力されるか否かの判断を行う（ステップＳ５０４）。
【００４７】
ステップＳ５０４で宛先名称を入力するためのキー操作が行われた場合は、入力された宛先名称データをシステム制御部３のＲＡＭに格納する（ステップＳ５０５）。ここで、操作者による宛先名称登録方法を簡単に説明する。操作者は、図４（ａ）の宛先名称入力画面にて宛先名称を入力する。この宛先名称の入力は、操作部１大型ＬＣＤに表示された図３の各種設定画面で入力する。入力方法は、モード切り替えキーで入力するモードを、カナ入力、英数字入力、ひらがな入力に切り替えて入力するか、入力したカナ、ひらがなを漢字、カタカナ等の文字に変換する変換キーを使用して入力する。より具体的には、例えば、モード切替キーにてひらがなを選択して、ローマ字で  「ＫＡＢＵＳＩＫＩＧＡＩＳＹＡＹＡＭＡＧＡＴＡＢＵＳＳＡＮＮ」と入力することで、「かぶしきがいしゃやまがたぶっさん」と入力でき、変換キーにて変換することで、「株式会社山形物産」と登録することができる。
【００４８】
ステップＳ５０４で、ファックス番号入力後、操作部１にて登録終了を示すＯＫキーが操作者により押下され、宛先名称を登録されないことが認識されると、例えば「宛先名称はありません、ワンタッチキーにはファックス番号が登録されます」というワーニングメッセージを表示・通知部２に表示させ、指定されたワンタッチキーへの宛先登録処理を終了させる（ステップＳ５０９）。
【００４９】
ステップＳ５０５で宛先名称が入力されると、ワンタッチキーに表示する表示名の編集を行うか否かの判断を行う（ステップＳ５０６）。操作者によりワンタッチキーに表示する表示名の編集を行うためのキー操作が行われた場合は、編集後の宛先名称データをシステム制御部３のＲＡＭに格納する（ステップＳ５０７）。ここで、操作者による宛先名称登録方法を簡単に説明する。操作者は、図４（ｂ）または（ｃ）の宛先名称入力画面にて宛先名称の編集を行う。これらの表示名の編集は、操作部１にて既に登録された宛先名称から不要な文字を消去する場合、矢印キーで消去する文字にカーソルを移動し、消去キーを操作することで文字を消去する。また文字を追加する場合には、矢印キーにて文字を追加する位置までカーソルを移動し、宛先名称の入力と同様のキー操作にて追加する文字を入力する。これら文字消去、文字追加を行いワンタッチキーに表示する表示名を編集する。
【００５０】
ステップＳ５０６で、宛先名入力後、操作部１にて登録終了を示すＯＫキーが操作者により押下され、キー表示名編集登録がされないことが認識されると、例えば「キー表示名は株式会社山形になります」というワーニングメッセージを表示・通知部２に表示させ、指定されたワンタッチキーへの宛先登録処理を終了させる（ステップＳ５１０）。
【００５１】
図６には、図５に示されている登録動作を有するファクシミリ装置におけるファックス送信の動作フローが示されている。
ファクシミリ装置においてファックス送信をする場合は、操作者は送信する原稿をセットして、相手先ファックス番号を選択する。相手先ファックス番号の選択は、操作部１のテンキーを用いて指示する方法や、ワンタッチキーを用いて指示する方法、あるいは短縮ダイヤルやリダイヤルキーを用いて指示する方法があるが、本実施例ではワンタッチキーまたはテンキーを使用して送信する場合について説明する。
【００５２】
まず、操作者により送信する原稿が読み取り部１０にセットされ、相手先ファックス番号が入力される。この時、ファックス宛先選択がワンタッチキーによる入力か、テンキーによる入力かを判断する（ステップＳ６０１）。
【００５３】
ステップＳ６０１において、ファックス宛先の選択がテンキーで入力されたと判断した場合、操作者によるテンキー入力後、ＯＫキーが押下されたことを認識すると、入力指示されたファックス番号をシステム制御部３のＲＡＭの送信宛先に蓄積する（ステップＳ６０９）。これらの管理は、システム制御部３において送信宛先の管理がされる。
【００５４】
ステップＳ６０１において、ファックス宛先の選択がワンタッチキーで入力されたと判断すると、次にそのワンタッチキーに宛先情報が登録されているか否かの判断を行う（ステップＳ６０２）。宛先情報が登録されていないと判断した場合は、未登録のメッセージ、例えば「選択されたワンタッチキーは未登録です」を表示・通知部２に表示させる（ステップＳ６０８）。
【００５５】
ステップＳ６０２で、ワンタッチキーに宛先情報が登録されていると判断した場合は、そのワンタッチキーが選択されたことをワンタッチキーにて表示する（ステップＳ６０３）。この表示は例えばワンタッチキーのＬＣＤバックライトが点灯することや、ワンタッチキーの宛先名文字の文字色を変えること、ワンタッチキーのＬＣＤの背景色を変えること、ワンタッチキーの宛先名文字の文字を点滅させることなど、視認性の良い方法にて実施する。
【００５６】
次に、そのワンタッチキーの宛先情報からファックス番号をシステム制御部３のＲＡＭの送信宛先に蓄積する（ステップＳ６０４）。これらの管理は、ステップＳ６０９のワンタッチキー以外の方法でファックス番号の選択が行われた場合と同様、システム制御部３において送信宛先の管理がされる。
【００５７】
次に、表示・通知部２に「追加する宛先はありますか？」のメッセージを表示させ、追加するファックス宛先があるか否かを判断し（ステップＳ６０５）、操作者により次の宛先がある場合の宛先追加キーが押下されたと判断した場合はステップＳ６０１に戻り、次のファックス宛先の入力方法を判断する。なお、次の宛先選択があるか否かは、宛先追加キーが押下されたことが認識されなくても、他のワンタッチキーが押下されたことが認識されたことで、次の宛先が選択されたと判断することも可能である。
【００５８】
ステップＳ６０５で次の宛先選択がないと判断した場合は、ファックス送信キーが押下されたか否かを監視する（ステップＳ６０５）。操作者は、全てのファックス宛先を指示した後、ファックス送信キーを押下する。ステップＳ６０５で、操作者によりファックス送信キーが押下されたと判断した場合は、システム制御部３は送信宛先として蓄積管理されている全てのファックス宛先に対してファックス送信する指示を通信制御部５に対して行い、通信制御部５はＮＣＵ部８を介して相手先ファクシミリ装置との間でファックス交信を行う（ステップＳ６０７）。
【００５９】
図７には、図１のファクシミリ装置の動作フローの他の実施形態が示されている。
この実施例は、１つのワンタッチキーに複数の宛先情報を登録できる機能を有するデジタル複合装置における登録動作フローである。
操作者は、ワンタッチキーに宛先情報を登録する場合、表示・通知部２の画面の指示に従い、図３に示されているワンタッチ登録画面である各種設定登録画面に到達する。より具体的には、そのキー操作手順として、例えばファンクションキーを押下し、次に初期設定を選択、さらに各種登録を選択、そしてワンタッチ登録を選択することでワンタッチ登録画面になる。
【００６０】
ワンタッチ登録画面になると、表示・通知部２には、ワンタッチキーに宛先情報を登録するため、登録するワンタッチキーを押下する旨のメッセージが表示される（ステップＳ７０１）。
【００６１】
ここで、操作者により登録したいワンタッチキーが選択され、押下されたことが認識されると、押下されたワンタッチキーに設定されている登録可能件数（最大登録件数）に達しているか否か、つまり指定されたワンタッチキーの最大登録数が全て登録済みか否かを判断する（ステップＳ７０２）。
【００６２】
ステップＳ７０２で操作者により押下されたワンタッチキーが、最大登録可能件数に達してなく、登録可能と判断した場合は、例えば図３に示されているような「登録するファックス番号を入力して下さい」というメッセージを表示・通知部２に表示させ、画面上のテンキーを介してファックス番号が入力される（ステップＳ７０３）。また、ステップＳ７０２で操作者により押下されたワンタッチキーが既に登録済みと判断した場合は、例えば「指定されたワンタッチキーは既に登録されています」というワーニングメッセージを表示・通知部２に表示させ、指定されたワンタッチキーへの宛先登録処理を終了させる（ステップＳ７０８）。
【００６３】
ステップＳ７０３でファックス番号の入力が完了したと認識すると、例えば図４（ａ）に示されているような「登録する宛先名を入力して下さい」というメッセージを表示・通知部２に表示させ、宛先名が入力されるか否かの判断を行う（ステップＳ７０４）。
【００６４】
ステップＳ７０４で宛先名称を入力するためのキー操作が行われた場合は、入力された宛先名称データをシステム制御部３のＲＡＭに格納する（ステップＳ７０５）。ここで、操作者による宛先名称登録方法を簡単に説明する。操作者は、図４（ａ）の宛先名称入力画面にて宛先名称を入力する。この宛先名称の入力は、操作部１大型ＬＣＤに表示された図３の各種設定画面で入力する。入力方法は、モード切り替えキーで入力するモードを、カナ入力、英数字入力、ひらがな入力に切り替えて入力するか、入力したカナ、ひらがなを漢字、カタカナ等の文字に変換する変換キーを使用して入力する。より具体的には、例えば、モード切替キーにてひらがなを選択して、ローマ字で  「ＫＡＢＵＳＩＫＩＧＡＩＳＹＡＹＡＭＡＧＡＴＡＢＵＳＳＡＮＮ」と入力することで、「かぶしきがいしゃやまがたぶっさん」と入力でき、変換キーにて変換することで、「株式会社山形物産」と登録することができる。
【００６５】
ステップＳ７０４で、ファックス番号入力後、操作部１にて登録終了を示すＯＫキーが操作者により押下され、宛先名称を登録されないことが認識されると、例えば「宛先名称はありません、ワンタッチキーにはファックス番号が登録されます」というワーニングメッセージを表示・通知部２に表示させ、指定されたワンタッチキーへの宛先登録処理を終了させる（ステップＳ７０９）。
【００６６】
ステップＳ７０５で宛先名称が入力されると、ワンタッチキーに表示する表示名の編集を行うか否かの判断を行う（ステップＳ７０６）。操作者によりワンタッチキーに表示する表示名の編集を行うためのキー操作が行われた場合は、編集後の宛先名称データをシステム制御部３のＲＡＭに格納する（ステップＳ７０７）。ここで、操作者による宛先名称登録方法を簡単に説明する。操作者は、図４（ｂ）または（ｃ）の宛先名称入力画面にて宛先名称の編集を行う。これらの表示名の編集は、操作部１にて既に登録された宛先名称から不要な文字を消去する場合、矢印キーで消去する文字にカーソルを移動し、消去キーを操作することで文字を消去する。また文字を追加する場合には、矢印キーにて文字を追加する位置までカーソルを移動し、宛先名称の入力と同様のキー操作にて追加する文字を入力する。これら文字消去、文字追加を行いワンタッチキーに表示する表示名を編集する。
【００６７】
ステップＳ７０６で、宛先名入力後、操作部１にて登録終了を示すＯＫキーが操作者により押下され、キー表示名編集登録がされないことが認識されると、例えば「キー表示名は株式会社山形になります」というワーニングメッセージを表示・通知部２に表示させ、指定されたワンタッチキーへの宛先登録処理を終了させる（ステップＳ７１０）。
【００６８】
図８には、図７に示されている登録動作を有するファクシミリ装置におけるファックス送信の動作フローが示されている。
ファクシミリ装置においてファックス送信をする場合は、操作者は送信する原稿をセットして、相手先ファックス番号を選択する。相手先ファックス番号の選択は、操作部１のテンキーを用いて指示する方法や、ワンタッチキーを用いて指示する方法、あるいは短縮ダイヤルやリダイヤルキーを用いて指示する方法があるが、本実施例では前述した実施例同様にワンタッチキーまたはテンキーを使用して送信する場合について説明する。
【００６９】
操作者により送信する原稿が読み取り部１０にセットされ、相手先ファックス番号が入力される。この時、ファックス宛先選択がワンタッチキーによる入力か、テンキーによる入力かを判断する（ステップＳ８０１）。
【００７０】
ステップＳ８０１において、ファックス宛先の選択がテンキーで入力されたと判断した場合、操作者によるテンキー入力後、ＯＫキーが押下されたことを認識すると、入力指示されたファックス番号をシステム制御部３のＲＡＭの送信宛先に蓄積する（ステップＳ８１１）。これらの管理は、システム制御部３において送信宛先の管理がされる。
【００７１】
ステップＳ８０１において、ファックス宛先の選択がワンタッチキーで入力されたと判断すると、次にそのワンタッチキーに宛先情報が登録されているか否かの判断を行う（ステップＳ８０２）。宛先情報が登録されていないと判断した場合は、未登録のメッセージ、例えば「選択されたワンタッチキーは未登録です」を表示・通知部２に表示させる（ステップＳ８１０）。
【００７２】
ステップＳ８０２で、ワンタッチキーに宛先情報が登録されていると判断した場合は、そのワンタッチキーが選択されたことをワンタッチキーにて表示する（ステップＳ８０３）。この表示は例えばワンタッチキーのＬＣＤバックライトが点灯することや、ワンタッチキーの宛先名文字の文字色を変えること、ワンタッチキーのＬＣＤの背景色を変えること、ワンタッチキーの宛先名文字の文字を点滅させることなど、視認性の良い方法にて実施する。このとき表示される宛先情報は、ワンタッチキーに登録されている複数の宛名情報の内、一番目（ｎ＝１）の宛先情報であり、このｎ＝１に対応した宛先名を表示されている。
【００７３】
次に、選択されたワンタッチキーに対応し、表示されている宛先でのファックス送信を確定させるため、操作者に確定操作を促すメッセージ、例えば「このファックス宛先で良いですか？」を表示・通知部２に表示させ、操作者によるＯＫキーの入力がされたか否かを判断する（ステップＳ８０４）。
【００７４】
ステップＳ８０４で、同じワンタッチキーが押下されたと判断した場合は、そのワンタッチキーに登録されている２番目（ｎ＝２）の宛先情報についてステップＳ８０２に戻り、上記処理を行う。さらに、ステップＳ８０４において同じワンタッチキーが押下されたと判断した場合には、３番目（ｎ＝３）について処理する。このように、ステップＳ８０４で同じワンタッチキーが繰り返し押下される場合は、同一キーにｍ個登録されていると、ｎ＝１からｎ＝ｍまでを繰り返し表示させる。
【００７５】
ステップＳ８０４で、操作者によりＯＫキーが押下されたと判断した場合は、ＯＫキーが押下された時点でのワンタッチキーに表示されている宛先情報、例えば登録が３番目の場合にはｎ＝３に登録されている宛先情報のファックス番号をシステム制御部３のＲＡＭの送信宛先に蓄積する（ステップＳ８０６）。これらの管理は、ステップＳ８１１のワンタッチキー以外の方法でファックス番号の選択が行われた場合と同様、システム制御部３において送信宛先の管理がされる。また、ステップＳ８０４で、選択されているワンタッチキーと異なるワンタッチキーが押下されたと判断した場合には、ステップＳ８０２に戻り、それ以降の処理を実行する。
【００７６】
次に、表示・通知部２に「追加する宛先はありますか？」のメッセージを表示させ、追加するファックス宛先があるか否かを判断し（ステップＳ８０７）、操作者により次の宛先がある場合の宛先追加キーが押下されたと判断した場合はステップＳ８０１に戻り、次のファックス宛先の入力方法を判断する。なお、次の宛先選択があるか否かは、宛先追加キーが押下されたことが認識されなくても、他のワンタッチキーが押下されたことが認識されたことで、次の宛先が選択されたと判断することも可能である。
【００７７】
ステップＳ８０７で次の宛先選択がないと判断した場合は、ファックス送信キーが押下されたか否かを監視する（ステップＳ８０８）。操作者は、全てのファックス宛先を指示した後、ファックス送信キーを押下する。ステップＳ８０８で、操作者によりファックス送信キーが押下されたと判断した場合は、システム制御部３は送信宛先として蓄積管理されている全てのファックス宛先に対してファックス送信する指示を通信制御部５に対して行い、通信制御部５はＮＣＵ部８を介して相手先ファクシミリ装置との間でファックス交信を行う（ステップＳ８０９）。
【図面の簡単な説明】
【００７８】
【図１】本発明の一実施形態のファクシミリ装置のブロック図である。
【図２】図１の表示・通知部の表示例を示す図である。
【図３】図１の表示・通知部の他の表示例を示す図である。
【図４】図１の表示・通知部における入力表示、コメント表示を示す図である。
【図５】図１の動作例を示すフロー図である。
【図６】図１のファックス送信動作例を示すフロー図である。
【図７】図１の他の動作例を示すフロー図である。
【図８】図７のファックス送信例を示すフロー図である。
【符号の説明】
【００７９】
１    操作部
２    表示・通知部
３    システム制御部
４    システムバス
５    通信制御部
６    画像メモリ
７    ＮＩＣ部
８    ＮＣＵ部
９    画像処理部
１０    読み取り部
１１    書き込み部
１２    通信制御（Ｇ４）部
【図１】
2006086975.tif 000003
【図２】
2006086975.tif 000004
【図３】
2006086975.tif 000005
【図４】
2006086975.tif 000006
【図５】
2006086975.tif 000007
【図６】
2006086975.tif 000008
【図７】
2006086975.tif 000009
【図８】
2006086975.tif 000010